(57)【要約】【課題】店舗内に設置される様々な機器や貨幣収納庫内の貨幣を効率良く取り扱うことを課題とする。【解決手段】釣銭機１を計数モードに設定し、（１）釣銭機１に対して自動販売機３３０、コピー機３４０又は募金箱３５０の種別を選択して貨幣を投入すると、（２）釣銭機１が投入された貨幣を計数処理し、（３）該貨幣を釣銭機１の内部に収納し、（４）釣銭機１に収納された貨幣と同一の金種構成で貨幣を出金する。（５）釣銭機１に入金された貨幣及び出金された貨幣に関するデータは、ＰＯＳレジ３２０に通知され、（６）ＰＯＳレジ３２０は、ストアサーバ３１０を介してデータを上位サーバ３７０に通知する。【選択図】図１
2018055399.tif 000002
【特許請求の範囲】
【請求項１】
外部から投入された貨幣を識別して貨幣の種別ごとに計数する識別部と、前記識別部により識別及び計数された貨幣を収納する複数の収納部とを有する釣銭機であって、
店舗に配設され、前記釣銭機とは異なる機器内または貨幣収納庫内の貨幣を計数処理する計数モードへのモード移行操作情報を受け付けたことを条件として、貨幣を計数処理する計数モードでの動作制御を行う制御部と、
前記計数モードにおいて選択された機器又は貨幣収納庫内の貨幣を前記識別部により計数する場合に、該機器又は貨幣収納庫に係る情報とともに計数結果を出力する出力部と
を備えたことを特徴とする釣銭機。
【請求項２】
前記制御部は、前記計数モードにおいて、前記識別部により識別及び計数された貨幣を該貨幣の金種ごとに前記複数の収納部に収納するよう制御することを特徴とする請求項１に記載の釣銭機。
【請求項３】
前記制御部は、外部から投入された貨幣の金種ごとの枚数の貨幣を前記複数の収納部から出金させるよう制御することを特徴とする請求項２に記載の釣銭機。
【請求項４】
前記制御部は、外部から投入された貨幣と金銭的価値が等しい他の金種の貨幣を前記複数の収納部から出金させるよう制御することを特徴とする請求項２に記載の釣銭機。
【請求項５】
前記制御部は、前記計数モードにおいて、前記識別部により識別及び計数された貨幣を該貨幣の金種ごとに前記複数の収納部に収納する場合に、各収納部に収納された貨幣の枚数が所定の閾値を超えたことを条件として、該所定の閾値を超えた収納部から所定の枚数の貨幣を自動出金させるよう制御することを特徴とする請求項２、３又は４に記載の釣銭機。
【請求項６】
前記制御部は、前記計数モードにおいて、前記識別部により識別及び計数された貨幣を所定のリジェクト口に出金するよう制御することを特徴とする請求項１に記載の釣銭機。
【請求項７】
入力された商品情報に基づく売上情報を生成し上位装置に通知する制御端末機と、該制御端末機と通信可能に併設された釣銭機とを有する貨幣処理システムであって、
前記釣銭機は、
外部から投入された貨幣を識別して貨幣の種別ごとに計数する識別部と、
前記識別部により識別及び計数された貨幣を収納する複数の収納部と、
店舗に配設され、前記釣銭機とは異なる機器内または貨幣収納庫内の貨幣を計数処理する計数モードへのモード移行操作情報を受け付けたことを条件として、貨幣を計数処理する計数モードでの動作制御を行う制御部と、
前記計数モードにおいて選択された機器又は貨幣収納庫内の貨幣を前記識別部により計数する場合に、該機器又は貨幣収納庫に係る情報とともに計数結果を前記制御端末機に対して出力する出力部と
を備えたことを特徴とする貨幣処理システム。
【請求項８】
前記出力部は、種別選択部により種別選択された機器又は貨幣収納庫内の貨幣が店舗の売上げである場合に、前記計数モードにおける計数結果に基づく第１の売上金額と、入力された商品情報に基づく第２の売上金額とを加算した売上金額を含む売上情報を前記制御端末機に対して出力することを特徴とする請求項７に記載の貨幣処理システム。
【請求項９】
前記出力部は、種別選択部により種別選択された機器又は貨幣収納庫内の貨幣が店舗の売上げでない場合に、前記計数モードにおける計数結果に基づく第１の売上金額と、入力された商品情報に基づく第２の売上金額とを前記制御端末機に対して出力することを特徴とする請求項７に記載の貨幣処理システム。
【請求項１０】
入力された商品情報に基づく売上情報を生成し上位装置に通知する制御端末機と、該制御端末機と通信可能に併設された釣銭機とを有する貨幣処理システムにおける貨幣処理方法であって、
前記釣銭機が、店舗に配設され、前記釣銭機とは異なる機器内または貨幣収納庫内の貨幣を計数処理する計数モードへのモード移行操作情報を受け付けたことを条件として、貨幣を計数処理する計数モードでの動作制御を行う制御工程と、
前記計数モードにおいて選択された機器又は貨幣収納庫内の貨幣を識別部により計数する場合に、該機器又は貨幣収納庫に係る情報とともに計数結果を前記制御端末機に対して出力する出力工程と
を含んだことを特徴とする貨幣処理方法。
【発明の詳細な説明】
【技術分野】
【０００１】
本発明は、スーパーマーケットなどの小売店舗等の各種店舗内に設置される様々な機器や貨幣収納庫内の貨幣を効率良く取り扱うことができる釣銭機、貨幣処理システム及び貨幣処理方法に関する。
【背景技術】
【０００２】
従来、スーパーマーケットなどの小売店舗等の各種店舗には、自動販売機やコピー機などが設置されることが多い。かかる自動販売機やコピー機内の売上金は、店員が手計数又は釣銭機以外の貨幣計数機を用いて計数し、計数結果をＰＯＳレジ(ＰＯＳレジスタ又は、ＰＯＳ端末を示し、販売時点管理機能を有する金銭登録機のこと)に手入力していた。
【０００３】
かかる店員の手作業による売上金の計数は効率的ではなく、また計数誤りが生じるおそれがあるため、店舗に配設された釣銭機を用いて自動販売機やコピー機の売上金を計数処理する従来技術が知られている。例えば、特許文献１には、ＰＯＳレジを介さない取引による売上金の計数を短時間かつ正確に行い、ＰＯＳレジを介した取引による売上金とＰＯＳレジを介さない取引による売上金との一括管理を低コストに行うことができる釣銭機システムが開示されている。
【先行技術文献】
【特許文献】
【０００４】
【特許文献１】特許第５１７２４０８号公報
【発明の概要】
【発明が解決しようとする課題】
【０００５】
しかしながら、上記特許文献１のものは、店舗の売上金とならない貨幣を対象としていない。例えば、スーパーマーケットなどの小売店舗等の各種店舗には、募金箱が設置されることが多いが、この募金箱に投入された貨幣は店舗の売上金ではなく、募金団体に納めるべきものである。また、上記の自動販売機やコピー機等に関しても、機器の提供会社と店舗の契約内容によっては店舗の売上金とならず、機器の提供会社に納めるべき場合もある。
【０００６】
このように、昨今の店舗には、店舗内には貨幣を収納可能な様々な機器や貨幣収納庫が設置されるため、これらの機器又は貨幣収納庫内の貨幣をいかに取り扱うべきかが重要な課題となっている。
【０００７】
本発明は、上記従来技術の課題を解決するためになされたものであって、店舗内に設置される様々な機器や貨幣収納庫内の貨幣を効率良く取り扱うことができる釣銭機、貨幣処理システム及び貨幣処理方法を提供することを目的とする。
【課題を解決するための手段】
【０００８】
上記の課題を解決するため、本発明は、外部から投入された貨幣を識別して貨幣の種別ごとに計数する識別部と、前記識別部により識別及び計数された貨幣を収納する複数の収納部とを有する釣銭機であって、店舗に配設され、前記釣銭機とは異なる機器内または貨幣収納庫内の貨幣を計数処理する計数モードへのモード移行操作情報を受け付けたことを条件として、貨幣を計数処理する計数モードでの動作制御を行う制御部と、前記計数モードにおいて選択された機器又は貨幣収納庫内の貨幣を前記識別部により計数する場合に、該機器又は貨幣収納庫に係る情報とともに計数結果を出力する出力部とを備えたことを特徴とする。
【０００９】
また、本発明は、上記の発明において、前記制御部は、前記計数モードにおいて、前記識別部により識別及び計数された貨幣を該貨幣の金種ごとに前記複数の収納部に収納するよう制御することを特徴とする。
【００１０】
また、本発明は、上記の発明において、前記制御部は、外部から投入された貨幣の金種ごとの枚数の貨幣を前記複数の収納部から出金させるよう制御することを特徴とする。
【００１１】
また、本発明は、上記の発明において、前記制御部は、外部から投入された貨幣と金銭的価値が等しい他の金種の貨幣を前記複数の収納部から出金させるよう制御することを特徴とする。
【００１２】
また、本発明は、上記の発明において、前記制御部は、前記計数モードにおいて、前記識別部により識別及び計数された貨幣を該貨幣の金種ごとに前記複数の収納部に収納する場合に、各収納部に収納された貨幣の枚数が所定の閾値を超えたことを条件として、該所定の閾値を超えた収納部から所定の枚数の貨幣を自動出金させるよう制御することを特徴とする。
【００１３】
また、本発明は、上記の発明において、前記制御部は、前記計数モードにおいて、前記識別部により識別及び計数された貨幣を所定のリジェクト口に出金するよう制御することを特徴とする。
【００１４】
また、本発明は、入力された商品情報に基づく売上情報を生成し上位装置に通知する制御端末機と、該制御端末機と通信可能に併設された釣銭機とを有する貨幣処理システムであって、前記釣銭機は、外部から投入された貨幣を識別して貨幣の種別ごとに計数する識別部と、前記識別部により識別及び計数された貨幣を収納する複数の収納部と、店舗に配設され、前記釣銭機とは異なる機器内または貨幣収納庫内の貨幣を計数処理する計数モードへのモード移行操作情報を受け付けたことを条件として、貨幣を計数処理する計数モードでの動作制御を行う制御部と、前記計数モードにおいて選択された機器又は貨幣収納庫内の貨幣を前記識別部により計数する場合に、該機器又は貨幣収納庫に係る情報とともに計数結果を前記制御端末機に対して出力する出力部とを備えたことを特徴とする。
【００１５】
また、本発明は、上記の発明において、前記出力部は、種別選択部により種別選択された機器又は貨幣収納庫内の貨幣が店舗の売上げである場合に、前記計数モードにおける計数結果に基づく第１の売上金額と、入力された商品情報に基づく第２の売上金額とを加算した売上金額を含む売上情報を前記制御端末機に対して出力することを特徴とする。
【００１６】
また、本発明は、上記の発明において、前記出力部は、種別選択部により種別選択された機器又は貨幣収納庫内の貨幣が店舗の売上げでない場合に、前記計数モードにおける計数結果に基づく第１の売上金額と、入力された商品情報に基づく第２の売上金額とを前記制御端末機に対して出力することを特徴とする。
【００１７】
また、本発明は、入力された商品情報に基づく売上情報を生成し上位装置に通知する制御端末機と、該制御端末機と通信可能に併設された釣銭機とを有する貨幣処理システムにおける貨幣処理方法であって、前記釣銭機が、店舗に配設され、前記釣銭機とは異なる機器内または貨幣収納庫内の貨幣を計数処理する計数モードへのモード移行操作情報を受け付けたことを条件として、貨幣を計数処理する計数モードでの動作制御を行う制御工程と、前記計数モードにおいて選択された機器又は貨幣収納庫内の貨幣を識別部により計数する場合に、該機器又は貨幣収納庫に係る情報とともに計数結果を前記制御端末機に対して出力する出力工程とを含んだことを特徴とする。
【発明の効果】
【００１８】
本発明によれば、店舗内に設置される様々な機器や貨幣収納庫内の貨幣を効率良く取り扱うことが可能となる。
【図面の簡単な説明】
【００１９】
【図１】図１は、本発明に係る貨幣処理システムの概念を説明するための説明図である。
【図２】図２は、本実施例に係る釣銭機の外観構成を示す斜視図である。
【図３】図３は、釣銭機における紙幣処理ユニットの内部構成を示す図である。
【図４】図４は、釣銭機における硬貨処理ユニットの内部構成を示す図である。
【図５】図５は、図２に示した釣銭機の機能ブロック図である。
【図６】図６は、種別選択画面の一例を示す図である。
【図７】図７は、図２に示した釣銭機の処理手順を示すフローチャートである。
【発明を実施するための形態】
【実施例】
【００２０】
以下、添付図面を参照して、本実施例に係る釣銭機、貨幣処理システム及び貨幣処理方法の実施例を説明する。本実施例では、スーパーマーケットの店舗内に配設された貨幣処理システムに本発明を適用した場合を示すこととする。
【００２１】
＜本発明に係る貨幣処理システムの概念＞
まず、本実施例に係る貨幣処理システムの概念について説明する。図１は、本実施例に係る貨幣処理システムの概念を説明するための説明図である。同図に示すように、店舗３００には、複数のＰＯＳレジ３２０と、各ＰＯＳレジ３２０に接続された釣銭機１とが設けられている。
【００２２】
ＰＯＳレジ３２０は、顧客による商品の購入に伴って、その商品データが入力される販売時点情報管理装置である。釣銭機１は、顧客から店員が受け取った貨幣の金額に応じた釣銭を出金するとともに、顧客から受け取った貨幣を収納する貨幣処理装置である。
【００２３】
また、店舗３００のバックヤードには、店舗全体の売上データ等を管理するストアサーバ３１０が設けられている。このストアサーバは、各ＰＯＳレジ３２０と通信可能に構成され、各ＰＯＳレジ３２０から売上データ等を受信し、該売上データを集約して管理する。また、ストアサーバ３１０は、本部に設置された上位サーバ３７０とインターネット等を介して接続され、上位サーバ３７０に対して売上データ等を送信する。なお、ここではストアサーバ３１０を設ける場合を示すが、本発明はこれに限定されるものではなく、各ＰＯＳレジ３２０と本部に設置された上位サーバ３７０とを通信可能とし、各ＰＯＳレジ３２０から上位サーバ３７０に直接売上データ等を送信することもできる。
【００２４】
また、店舗３００には、自動販売機３３０、コピー機３４０及び募金箱３５０が配設されている。自動販売機３３０は、飲物等を提供する自動機であり、コピー機３４０は、複写サービスを提供する装置である。募金箱３５０は、募金としての貨幣を収納する貨幣収納庫である。ここでは、自動販売機３３０、コピー機３４０及び募金箱３５０はそれぞれ１台のみ設置されているものとし、自動販売機３３０及びコピー機３４０は店舗３００の売上げとなり、募金箱３５０は店舗３００の売上げとはならない（所定の企業、団体等の収益となる）ものとする。
【００２５】
また、店舗３００には、ＡＴＭ（Automatic Teller Machine）３６０が配設されている。このＡＴＭ３６０は、店舗３００に来店した顧客が自身の銀行口座への貨幣の入金又は銀行口座からの貨幣の引出を行う装置である。このＡＴＭ３６０は、店舗３００の店員が、売上金を店舗の口座に入金する場合等にも使用される。なお、所定の警送会社の担当者が、定期的に巡回してＡＴＭ３６０への貨幣の補充及び貨幣の回収を行う。
【００２６】
上記に示す店舗３００の貨幣処理システムにおいて、本実施例では、釣銭機１を計数モードに設定し、（１）釣銭機１に対して自動販売機３３０、コピー機３４０又は募金箱３５０の種別を選択して、自動販売機３３０、コピー機３４０又は募金箱３５０内の貨幣を投入する。そして、（２）釣銭機１が投入された貨幣を計数処理し、（３）該貨幣を釣銭機１の内部に収納する。その後、（４）釣銭機１に収納された貨幣と同一の金種構成で貨幣を出金する。
【００２７】
そして、（５）釣銭機１に入金された貨幣及び出金された貨幣に関するデータは、ＰＯＳレジ３２０に通知され、（６）ＰＯＳレジ３２０は、ストアサーバ３１０に対してデータを通知する。また、（７）ストアサーバ３１０は、各ＰＯＳレジ３２０のデータをまとめて上位サーバ３７０に通知する。
【００２８】
一方、（８）釣銭機１において「自動販売機３３０」又は「コピー機３４０」が種別選択された場合には、釣銭機１から出金された貨幣のうちは、ＡＴＭ３６０を用いて店舗の口座に売上金として入金され、「募金箱３５０」が種別選択された場合には、募金を取り扱う所定の企業、法人又は団体の口座に入金される。
【００２９】
このように、本実施例１では、釣銭機１を計数モードに移行させた後に、自動販売機３３０、コピー機３４０又は募金箱３５０の種別を選択して、自動販売機３３０、コピー機３４０又は募金箱３５０内の貨幣を投入し、釣銭機１が投入された貨幣を計数処理して内部に収納し、収納された貨幣と同一の金種構成で貨幣を出金するよう構成したので、店舗内に設置される自動販売機３３０、コピー機３４０又は募金箱３５０の貨幣を効率良く取り扱うことが可能となる。
【００３０】
＜釣銭機１の構成＞
次に、釣銭機１の詳細な構成について図２〜図４を用いて説明する。図２等に示すように、本実施例１による釣銭機１は、硬貨処理ユニット２５０と、硬貨処理ユニット２５０の隣に並ぶよう配置された紙幣処理ユニット２１０とを備えており、紙幣処理ユニット２１０や硬貨処理ユニット２５０の上方にはＰＯＳレジ３２０が載置される。紙幣処理ユニット２１０及び硬貨処理ユニット２５０は、それぞれ硬貨や紙幣の入出金処理を行う。また、ＰＯＳレジ３２０は、釣銭機１の管理を行う管理装置として用いられる。
【００３１】
まず、紙幣処理ユニット２１０の構成について図２及び図３を用いて具体的に説明する。図２及び図３に示すように、紙幣処理ユニット２１０は、略直方体形状の筐体２１２を有し、筐体２１２の前面に紙幣受入部２２２、紙幣払出部２２０、カセット装着部２２６、出金リジェクト部２２４が配置されている。
【００３２】
紙幣受入部２２２は、操作者による紙幣の投入を受け付け、紙幣処理ユニット２１０の内部に取り込む処理部である。紙幣払出部２２０は、紙幣処理ユニット２１０の内部から紙幣を払い出す処理部である。
【００３３】
カセット装着部２２６は、売上金の回収や釣銭の補充に用いる収納カセットを着脱可能である。出金リジェクト部２２４は、金種が識別できない等、出金に適さない紙幣を内部に集積する。
【００３４】
また、紙幣処理ユニット２１０は、筐体２１２の内部で紙幣を１枚ずつ搬送する搬送部２３０と、筐体２１２の内部で紙幣を収納するとともに収納されている紙幣を繰出可能な複数の紙幣収納部２３４、２３６、２３８とを備える。なお、図３において、筐体２１２の下側の側面が紙幣処理ユニット２１０の手前側の面であり、図３における上向きの方向が紙幣処理ユニット２１０の奥行き方向である。
【００３５】
図３に示すように、搬送部２３０は、筐体２１２の中央位置に配置された周回搬送部２３０ａ及び複数の接続搬送部２３０ｂから構成されている。また、紙幣受入部２２２、紙幣払出部２２０、出金リジェクト部２２４、収納カセット２２５を着脱自在に装着可能なカセット装着部２２６及び３つの紙幣収納部２３４、２３６、２３８が、それぞれ周回搬送部２３０ａを取り囲むよう配置されている。
【００３６】
また、図３に示すように、複数の接続搬送部２３０ｂの各々により、紙幣受入部２２２、紙幣払出部２２０、出金リジェクト部２２４、カセット装着部２２６及び３つの紙幣収納部２３４、２３６、２３８の各々と、周回搬送部２３０ａとの間がそれぞれ接続される。また、周回搬送部２３０ａには紙幣識別部２３２が設けられており、この紙幣識別部２３２は、周回搬送部２３０ａにより搬送される紙幣の金種、真偽、正損、表裏、搬送状態等の識別を行う。
【００３７】
周回搬送部２３０ａは、図３における時計回りの方向及び反時計回りの方向の両方向に紙幣を１枚ずつ搬送することができる。また、搬送部２３０において、周回搬送部２３０ａと各接続搬送部２３０ｂとの間で紙幣の搬送経路を切り換える経路切換部（図示せず）が、周回搬送部２３０ａに沿って配置されている。
【００３８】
図２及び図３に示すように、筐体２１２の前面には、紙幣受入部２２２の紙幣受入口と紙幣払出部２２０の紙幣取出口とが設けられている。また、カセット装着部２２６は、収納カセット２２５の装着と取り外しが可能である。
【００３９】
紙幣受入部２２２には紙幣繰出機構が設けられており、入出金口に１枚あるいは複数枚の紙幣が投入されたことが検知されると、紙幣繰出機構が駆動されることにより紙幣が接続搬送部２３０ｂを介して周回搬送部２３０ａ側へ１枚ずつ繰り出される。
【００４０】
また、紙幣払出部２２０は、各紙幣収納部２３４、２３６、２３８から周回搬送部２３０ａに繰り出された紙幣を紙幣取出口により筐体２１２の外部へ放出するよう構成されている。
【００４１】
出金リジェクト部２２４は、出金処理時において各紙幣収納部２３４、２３６、２３８から繰り出された紙幣のうち、重送や斜行等の搬送異常により紙幣識別部２３２で識別することができない紙幣を出金リジェクト紙幣として収納する。また、紙幣受入部２２２から筐体２１２の内部に取り込まれた紙幣のうち、入金処理時において汚損等により紙幣識別部２３２で識別することができない紙幣は、入金リジェクト紙幣として紙幣払出部２２０に返却される。
【００４２】
各紙幣収納部２３４、２３６、２３８は、紙幣識別部２３２の識別結果に基づいて紙幣を金種別に収納する。これらの紙幣収納部２３４、２３６、２３８には、紙幣処理ユニット２１０に入金された売上金としての紙幣や釣銭として出金されるべき紙幣が収納される。例えば、紙幣収納部２３４には１０００円札が収納され、紙幣収納部２３６には５０００円札が収納され、紙幣収納部２３８には１００００円札が収納される。なお、紙幣収納部の一部を金種混合の収納部として運用してもよい。また、各紙幣収納部２３４、２３６、２３８にはそれぞれ紙幣繰出機構が設けられており、これらの紙幣収納部２３４、２３６、２３８に収納されている紙幣は、各紙幣繰出機構により接続搬送部２３０ｂを介して周回搬送部２３０ａ側へ１枚ずつ繰り出される。
【００４３】
次に、硬貨処理ユニット２５０の構成について説明する。図２及び図４に示すように、硬貨処理ユニット２５０は、略直方体形状の筐体２５１と、筐体２５１の前面側に設けられた硬貨受入部２５２と、筐体２５１の前面側において硬貨受入部２５２の下方に設けられた硬貨払出部２６６と、筐体２５１の内部で硬貨を収納するとともに収納されている硬貨を繰出可能な複数の硬貨収納部２６０とを備えている。
【００４４】
硬貨受入部２５２は、硬貨投入口を介して受け入れた硬貨を１層１列状態で１枚ずつ筐体２５１内に取り込む。具体的には、硬貨受入部２５２には繰出ベルト等からなる硬貨繰出機構が設けられており、硬貨受入部２５２に受け入れられた硬貨を検知すると、この硬貨繰出機構が駆動されることにより当該硬貨繰出機構によって硬貨が筐体２５１の内部に１枚ずつ繰り出される。また、図４に示すように、硬貨受入部２５２には、当該硬貨受入部２５２により筐体２５１の内部に繰り出された硬貨を搬送する入金搬送部２５４が接続されている。
【００４５】
図４に示すように、入金搬送部２５４の途中には、硬貨の金種、真偽、正損、表裏、搬送状態等の識別を行う硬貨識別部２５６と、分岐部２５８とがそれぞれ設けられている。分岐部２５８は、硬貨識別部２５６による硬貨の識別結果に基づいて、リジェクト硬貨等の、硬貨払出部２６６から払い出されるべき硬貨を入金搬送部２５４から分岐させて出金搬送部２６２へ案内する。
【００４６】
一方、正常硬貨等の筐体２５１内に収納されるべき硬貨は入金搬送部２５４により各硬貨収納部２６０へ搬送される。硬貨収納部２６０は、硬貨を金種別に収納するとともに、収納されている硬貨を繰出可能となるよう構成されている。例えば、日本国で流通している硬貨の６つの金種（５００円硬貨、１００円硬貨、５０円硬貨、１０円硬貨、５円硬貨及び１円硬貨）に対応して６つの硬貨収納部２６０が設けられており、入金搬送部２５４の上流側（すなわち、図４における下側）から低額順に各硬貨収納部２６０に硬貨が金種毎に収納される。また、硬貨収納部２６０には、当該硬貨収納部２６０に収納された硬貨を１枚ずつ出金搬送部２６２に繰り出す硬貨繰出機構が設けられている。
【００４７】
出金搬送部２６２は、硬貨収納部２６０から繰り出された硬貨を硬貨払出部２６６へ搬送する。また、出金搬送部２６２は、分岐部２５８により入金搬送部２５４から分岐させられたリジェクト硬貨等を硬貨払出部２６６へ搬送する。
【００４８】
＜釣銭機の機能的な構成＞
次に、図２に示した釣銭機１の機能的な内部構成を説明する。図５は、図２に示した釣銭機１の機能ブロック図である。同図に示すように、釣銭機１は、制御部４００、識別部４３０、通信インターフェース部４４０及び記憶部４５０を有する。
【００４９】
制御部４００は、釣銭機１を全体制御する制御部であり、通常モード制御部４１０と、計数モード制御部４２０とを有する。通常モード制御部４１０は、ＰＯＳレジ３２０を介した商品の販売に伴う商品代金としての貨幣の収納及び釣銭の払い出しに関する制御を行う制御部である。なお、通常モード制御部４１０における制御は、ＰＯＳレジ３２０と接続された釣銭機１が通常行う制御であるため、ここではその詳細な説明を省略する。
【００５０】
制御部４００は、ＰＯＳレジ３２０からのコマンドにより、通常モード又は計数モードのモード切替を行い、通常モードで動作する場合には通常モード制御部４１０により制御を行わせ、計数モードで動作する場合には計数モード制御部４２０により制御を行わせる。なお、ここではＰＯＳレジ３２０からのコマンドによってモード切替を行うこととしたが、釣銭機１に設けられたスイッチの切替操作等によってモード切替を行うこともできる。
【００５１】
計数モード制御部４２０は、店舗３００に配設された自動販売機３３０、コピー機３４０又は募金箱３５０に収納された貨幣の計数処理に関する制御を行う制御部であり、種別選択受付部４２１と、貨幣収納制御部４２２と、貨幣出金制御部４２３と、計数結果出力部４２４とを有する。なお、実際には、ＣＰＵ（Ｃｅｎｔｒａｌ  Ｐｒｏｃｅｓｓｉｎｇ  Ｕｎｉｔ）が、通常モード制御部４１０、計数モード制御部４２０、種別選択受付部４２１、貨幣収納制御部４２２、貨幣出金制御部４２３及び計数結果出力部４２４に対応するプログラムをロードして実行することになる。
【００５２】
種別選択受付部４２１は、店舗３００に配設された自動販売機３３０、コピー機３４０又は募金箱３５０のうち、計数対象として種別選択された機器に関する情報を受け付ける処理部である。図６は、ＰＯＳレジ３２０の表示操作部に表示された種別選択画面５００の一例を示す図である。図６において、例えば「募金箱」が選択されると、募金箱３５０内の貨幣が計数対象となる。その結果、計数結果（貨幣の種別ごとの枚数）に募金箱３５０の識別情報を付与したデータがＰＯＳレジ３２０に出力される。なお、店舗内に複数の自動販売機が存在する場合には、種別選択画面５００上にそれぞれの自動販売機に対応する入力枠を区別可能に設けるか、サブ画面上に各自動販売機に対応する入力枠が設けられる。
【００５３】
貨幣収納制御部４２２は、計数モードにおける貨幣の収納制御を行う制御部である。具体的には、識別部４３０により識別及び計数された貨幣を該貨幣の金種ごとに収納部（各硬貨収納部２６０、紙幣収納部２３４、紙幣収納部２３６、紙幣収納部２３８）に収納するよう制御する。つまり、本実施例では、自動販売機３３０、コピー機３４０又は募金箱３５０内の貨幣を計数する場合であっても、かかる貨幣が収納部に収納される。
【００５４】
貨幣出金制御部４２３は、計数モードにおいて、外部から投入された貨幣の金種ごとの枚数の貨幣を収納部から出金させるよう制御する制御部である。つまり、同一の金種構成で出金することになる。なお、外部から投入された貨幣と金銭的価値が等しい他の金種の貨幣を収納部から出金させることもできる。例えば、１００円硬貨を５枚入金した場合に５００円硬貨１枚を出金するケースが該当する。なお、計数モードにおいて、貨幣収納制御部４２２に貨幣を収納させず、識別部４３０により識別及び計数された貨幣を出金リジェクト部２２４に出金するよう制御することもできる。
【００５５】
計数結果出力部４２４は、計数モードにおいて、種別選択された自動販売機３３０、コピー機３４０又は募金箱３５０内の貨幣を識別部４３０により計数する場合に、種別選択された機器の識別情報とともに計数結果を出力する処理部である。
【００５６】
記憶部４５０は、フラッシュメモリ等の不揮発性メモリ又はハードディスク装置等の二次記憶媒体等からなる記憶デバイスである。この記憶部４５０には、計数した貨幣の金額等が一時的に記憶される。
【００５７】
識別部４３０は、外部から投入された貨幣の金種等を識別して貨幣の種別ごとに計数する処理部である。特に、計数モードが選択された場合には、入金モードの場合よりも識別強度を高めて外国貨等の混入を防ぐようにする。募金箱３５０には、外国貨又は汚損した硬貨が投入されることがあるためである。
【００５８】
なお、釣銭機１から出金された計数済の貨幣はＡＴＭ３６０を使って、店員が口座に入金する。自動販売機３３０及びコピー機３４０の回収金は店舗３００の口座に振り込まれ、募金箱３５０からの回収金は所定の組織（募金団体）又は企業等の口座に振り込まれる。募金箱３５０内の外国貨等は店内の金庫等の保管庫に収納される。
【００５９】
＜釣銭機１の処理手順＞
次に、図２に示した釣銭機１の処理手順について説明をする。ここでは、釣銭機１がすでに計数モードにモード移行されているものとする。図７は、図２に示した釣銭機１の処理手順を示すフローチャートである。
【００６０】
同図に示すように、釣銭機１は、ＰＯＳレジ３２０から計数対象となる機器種別を受け付ける（ステップＳ１０１）。具体的には、店舗３００内の自動販売機３３０、コピー機３４０又は募金箱３５０からの回収金が計数対象となり、すでに図６で説明した種別選択画面５００で種別選択された機器の識別情報をＰＯＳレジ３２０から受信する。
【００６１】
その後、釣銭機１は、店員が自動販売機３３０、コピー機３４０又は募金箱３５０から回収した貨幣を受け付け（ステップＳ１０２）、識別部４３０で貨幣を識別して貨幣の種別ごとに計数処理を行い（ステップＳ１０３）、貨幣が収納部に収納される(ステップＳ１０４)。具体的には、貨幣が紙幣であるならば紙幣収納部２３４、紙幣収納部２３６、紙幣収納部２３８に収納され、貨幣が硬貨であるならば、金種毎の硬貨収納部２６０に収納される。
【００６２】
そして、各収納部がフル状態であるか否かを判定し（ステップＳ１０５）、フル状態であれば(ステップＳ１０５；Ｙｅｓ）、該当する収納部から設定枚数を出金する（ステップＳ１０６）。例えば、１０００円札を収納した紙幣収納部２３４がフル状態であり、あらかじめ設定された設定枚数が１００枚である場合には、紙幣収納部２３４から１００枚の１０００円札を出金することになる。なお、フル状態となる収納部が存在しない場合には（ステップＳ１０５；Ｎｏ）、そのままステップＳ１０７に移行する。
【００６３】
その後、全ての貨幣が収納されたか否かを判定し（ステップＳ１０７）、収納されていない貨幣が存在する場合には（ステップＳ１０７；Ｎｏ）、上記のステップＳ１０４に移行して同様の処理を繰り返す。これに対して、全ての貨幣が収納されたならば（ステップＳ１０７；Ｙｅｓ）、ＰＯＳレジ３２０に対して計数結果を通知し（ステップＳ１０８）、同一の金種構成で貨幣を出金する（ステップＳ１０９）。
【００６４】
上述してきたように、本実施例によれば、釣銭機１に計数モードを設け、ＰＯＳレジ３２０により通常モードから計数モードへの移行指示を受け付け、自動販売機３３０、コピー機３４０又は募金箱３５０の種別を受け付けたならば、該自動販売機３３０、コピー機３４０又は募金箱３５０内の貨幣を収納部に収納した後に、ＰＯＳレジ３２０に対して計数結果を通知し、同一の金種構成で出金するよう構成したので、店舗内に設置される様々な機器や貨幣収納庫内の貨幣を効率良く取り扱うことが可能となる。
【００６５】
＜変形例１＞
なお、上記の実施例１では、釣銭機１で計数した貨幣を一旦収納部に収納した後に、同一の金種構成で出金する場合を示したが、本発明はこれに限定されるものではなく、低額貨幣を高額貨幣に換算して出金することもできる。例えば、募金箱３５０に多量の硬貨が存在する場合に、これらの硬貨の合計金額に相当する紙幣に両替して出金すれば、ＡＴＭ３６０での振込を効率良く行うことが可能となる。具体的には、識別部で識別した貨幣の金種ごとの枚数から合計金額を算定し、この合計金額を払い出すうえで貨幣枚数が最も少なくなる組合せを特定すれば良い。
【００６６】
＜変形例２＞
また、上記の実施例及び変形例１では、釣銭機１が計数対象となる貨幣と同一の金額の貨幣を出金する場合を示したが、本発明はこれに限定されるものではなく、通常モードでの売上金とともに計数モードで計数した貨幣を出金することも可能である。具体的には、自動販売機３３０及びコピー機３４０内の貨幣は、店舗３００の売上金となるため、通常モードと計数モード（種別毎）の貨幣の合計金額が判明していれば、貨幣そのものは通常モードでの売上金と混合しても問題はない。このため、店舗３００の閉店処理時に、計数モードに遷移させ、自動販売機３３０及びコピー機３４０内の貨幣と売上金とを出金することもできる。このようにすれば、店舗の売上金をＡＴＭ３６０に入金する場合に効率的である。なお、募金箱３５０内の貨幣は、店舗３００の売上げとはならないため、売上金と分離して出金することが望ましい。
【００６７】
＜変形例３＞
また、上記の実施例では、計数モードの釣銭機１で計数した貨幣を収納部に収納する場合を示したが、本発明はこれに限定されるものではなく、釣銭機１で計数した貨幣を収納部に収納することなく、硬貨払出部２６６にリジェクト出金するよう構成することもできる。なお、硬貨払出部２６６の口径が狭い場合には、該硬貨払出部２６６に回収袋を設けることで、計数直後の硬貨をリジェクト出金して回収することができる。また、紙幣の場合には、紙幣払出部２２０の紙幣取出口に計数直後の紙幣を送ることにより実現できる。なお、識別ができない硬貨や紙幣との混在を避けるために、異常が発生した場合には、計数処理を中断するかアラームを報知することもできる。
【００６８】
＜変形例４＞
また、上記の実施例では、硬貨処理ユニット２５０が硬貨払出部２６６から硬貨を払い出す構成を示したが、硬貨処理ユニット２５０に入金リジェクト搬送部と入金リジェクト部とを設け、入金搬送部２５４から分岐させて入金リジェクト搬送部に落下させ、入金リジェクト搬送部から入金リジェクト部へ硬貨を搬送するようにしてもよい。また、入金搬送部から分岐させて入金リジェクト部に直接、硬貨を搬送または落下させるようにしてもよい。係る構成では、計数モードで計数された硬貨は入金リジェクト部に搬送されることになる。
【００６９】
また、紙幣処理ユニット２１０と硬貨処理ユニット２５０のそれぞれに金種混合の一時保留部を設け、計数モードで計数した貨幣を一時保留部に保留し、計数完了時もしくは一時保留部がフル状態（それ以上の貨幣を収納できない状態）となった時に、払出部に搬送するようにしてもよい。すなわち、一時保留部の容量を超える貨幣を計数する場合には、計数すべき貨幣が無くなるまで、計数とフル状態からの払い出しを繰り返すことになる。
【００７０】
また、釣銭機１を通常モードから計数モードに変更して計数を行う構成を示したが、通常モードで計数設定による計数を行なう構成としてもよい。係る構成では、計数する機器（自販機、コピー機、募金箱）をＰＯＳレジ３２０または釣銭機１の画面で選択すると、釣銭機１が計数設定状態となり、通常モードで、選択された機器の貨幣を計数処理することができる。
【００７１】
なお、上記の実施例では、本発明をスーパーマーケットの店舗３００の貨幣処理システムに適用した場合を示したが、本発明はこれに限定されるものではなく、スーパーマーケット以外の他の店舗の貨幣処理システムに適用することもできる。
【００７２】
また、上記の実施例で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【００７３】
本発明の釣銭機、貨幣処理システム及び貨幣処理方法は、店舗内に設置される様々な機器や貨幣収納庫内の貨幣を効率良く取り扱う場合に有用である。
【符号の説明】
【００７４】
１    釣銭機
１０    外側筐体（第１筐体部分）
２１０    紙幣処理ユニット
２１２    筐体
２２０    紙幣払出部
２２２    紙幣受入部
２２４    出金リジェクト部
２２５    収納カセット
２２６    カセット装着部
２３０    搬送部
２３０ａ  周回搬送部
２３０ｂ  接続搬送部
２３２    紙幣識別部
２３４    紙幣収納部
２３６    紙幣収納部
２３８    紙幣収納部
２５０    硬貨処理ユニット
２５１    筐体
２５２    硬貨受入部
２５４    入金搬送部
２５６    硬貨識別部
２５８    分岐部
２６０    硬貨収納部
２６２    出金搬送部
２６６    硬貨払出部
３００    店舗
３１０    ストアサーバ
３２０    ＰＯＳレジ
３３０    自動販売機
３４０    コピー機
３５０    募金箱
３６０    ＡＴＭ
３７０    上位サーバ
４００    制御部
４１０    通常モード制御部
４２０    計数モード制御部
４２１    種別選択受付部
４２２    貨幣収納制御部
４２３    貨幣出金制御部
４２４    計数結果出力部
４３０    識別部
４４０    通信インターフェース部
４５０    記憶部
５００    種別選択画面
【図１】
2018055399.tif 000003
【図２】
2018055399.tif 000004
【図３】
2018055399.tif 000005
【図４】
2018055399.tif 000006
【図５】
2018055399.tif 000007
【図６】
2018055399.tif 000008
【図７】
2018055399.tif 000009